(57)【特許請求の範囲】
【請求項１】
ハウジングと、
前記ハウジングの前方側から当該ハウジングの内部を通って当該ハウジングの上部側に向けて用紙を案内する用紙経路と、
前記用紙経路に挿入された用紙を搬送する搬送部と、
前記用紙経路に配置されて当該用紙経路を案内搬送される用紙に印字を行う印字部と、
前記印字部よりも上流側で前記用紙経路に鈍角をなして連絡するトラクタ用紙を案内する案内面と前記案内面上を案内されるトラクタ用紙を搬送するピンベルトとを有するトラクタと、
を具備し、前記案内面は、当該案内面と前記用紙経路との連絡部分に近づくに従い前記ピンベルトとトラクタ用紙との距離を離反させるとともに当該案内面と前記用紙経路とのなす角を漸増させるように前記連絡部分に向かう途中で当該連絡部分に向けて湾曲している、
プリンタ。
【請求項２】
前記トラクタを、前記案内面が前記印字部よりも上流側で前記用紙経路に鈍角をなして連絡する位置と、この位置よりも前記案内面の上流側部分がハウジング後方から突出するようにして前記連絡が切り離される位置と、に変位自在に支持する支持機構を備える、請求項１記載のプリンタ。
【発明の詳細な説明】
【技術分野】
【０００１】
本発明は、トラクタ用紙を搬送するトラクタを備えたプリンタに関する。
【背景技術】
【０００２】
従来、トラクタ用紙の両側部に形成された送り孔にピンベルトのピンを嵌め込ませてこのピンベルトを回転させることで案内面に沿ってトラクタ用紙を搬送するトラクタを設け、このトラクタを印字部の上流側に配置してトラクタ用紙を印字部に向けて搬送するようにしたプリンタがある（例えば、特許文献１）。このようなプリンタで複数枚重ね合わせた伝票等がトラクタ用紙として使用される場合、トラクタ用紙には相当の厚みがあるためピンベルトのピンが送り孔から外れ易くなり、トラクタ用紙が搬送時にトラクタから脱落してしまうことがある。
【０００３】
一般に、トラクタにはトラクタ用紙を上面側からピンベルトに押えるための紙押え板が設けられているが、確実にトラクタからの脱落を防止するためには、ピンベルトのピンを高くすることが最も有効な方策である。
【０００４】
ここで、ピンベルトのピンを高くしたトラクタを図７に基づいて説明する。図７はトラクタ５５とトラクタ用紙Ｓとの関係を示す側面図である。ピン５３が外周面に形成されたピンベルト５２がベルト支持部５１にエンドレス回転自在に支持されている。そして、両側部に形成されている送り孔Ｈにピン５３が嵌め込まれたトラクタ用紙Ｓは、ピンベルト５２の回転によりベルト支持部５１の上面の案内面５４上を案内搬送される。このとき、トラクタ用紙Ｓに厚みがある場合であっても、ピン５３に高さがあるため、送り孔Ｈにピン５３は確実に嵌め込まれており、トラクタ用紙Ｓは脱落が防止されている。
【０００５】
しかしながら、ピンベルト５２のピン５３に高さを持たせると、送り孔Ｈからピン５３が抜け切れずに引っ掛かりトラクタ用紙Ｓがスムーズに排紙されずにジャム等の搬送ミスが発生したり、トラクタ用紙Ｓ自身が破れたりしてしまう。
【０００６】
そこで、特許文献２には、案内面の下流側でピンの突出量がピンベルトの回転に伴って案内搬送方向に向かうに従い次第に低くなるようにしたトラクタが開示されている。このトラクタによれば、下流側でピンが送り孔に引っ掛かることがなくなりトラクタ用紙をスムーズに排紙することができる。
【０００７】
【特許文献１】実開平６−０４２１８７号公報
【特許文献２】特開平３−０８２５７２号公報
【発明の開示】
【発明が解決しようとする課題】
【０００８】
ここで、プリンタの後方からトラクタによりトラクタ用紙を搬送する一方で、前方から印字部に至る用紙経路を有して印字部に向けて単票用紙を搬送するプリンタについて図８に基づいて説明する。図８は、トラクタ７２と用紙経路７３との関係を示す模式図である。トラクタ７２は印字部７４により近く配置されることで、トラクタ７２と印字部７４との間の距離が短くなり、この間での用紙ズレが軽減される。このとき、トラクタ７２は、用紙経路７３に対して鈍角をなして連絡できる位置に配置されることが望ましい。用紙経路７３に送り込まれる際のトラクタ用紙Ｓの屈曲量が減ることでシワ等が解消されて、印字精度が良好になるからである。しかし、上記要望に沿うように、用紙経路８に対してより鈍角をなすようにトラクタ７２を配置すると、破線で示すようにトラクタ７２が用紙経路７３を干渉してしまうことになる。また、トラクタ７２による干渉を回避するために用紙経路７３の位置を変更させるとプリンタが備える各部についても位置変更させなければならず、プリンタの大型化にもつながってしまう。
【０００９】
本発明の目的は、トラクタが用紙経路を干渉することなく、用紙経路に送り込まれる際のトラクタ用紙の屈曲量を減らして印字精度を良好にすることである。
【課題を解決するための手段】
【００１０】
本発明のプリンタは、ハウジングと、前記ハウジングの前方側から当該ハウジングの内部を通って当該ハウジングの上部側に向けて用紙を案内する用紙経路と、前記用紙経路に挿入された用紙を搬送する搬送部と、前記用紙経路に配置されて当該用紙経路を案内搬送される用紙に印字を行う印字部と、前記印字部よりも上流側で前記用紙経路に鈍角をなして連絡するトラクタ用紙を案内する案内面と前記案内面上を案内されるトラクタ用紙を搬送するピンベルトとを有するトラクタと、を具備し、前記案内面は、当該案内面と前記用紙経路との連絡部分に近づくに従い前記ピンベルトとトラクタ用紙との距離を離反させるとともに当該案内面と前記用紙経路とのなす角を漸増させるように前記連絡部分に向かう途中で当該連絡部分に向けて湾曲している。
【発明の効果】
【００１１】
本発明によれば、連絡部分に近づくに従い案内面と用紙経路とのなす角を増大させる形状に案内面が形成されているため、用紙経路との干渉を避けた状態でより鈍角をなして用紙経路にトラクタ用紙を送り込むことができ、トラクタ用紙の屈曲量を低減させて印字精度を良好にすることができる。また、トラクタ用紙が連絡部分に近づくに従いピンベルトから離反するため、送り孔にピンが引っ掛からずにトラクタ用紙をスムーズに用紙経路に送り込むことができる。
【発明を実施するための最良の形態】
【００１２】
本発明の第１の実施の形態を図１ないし図３に基づいて説明する。本実施の形態のプリンタは事務機Ｐへの適用例である。
【００１３】
図１は、本発明の第１の実施の形態として事務機Ｐを示す側面図である。なお、各部を収納するハウジング１の一部を切り欠いて示している。ハウジング１の前面には操作者に向けて情報を表示する表示器５が設けられ、その下方には操作者が事務機Ｐを操作するために使用するキーボード６が設けられている。また、ハウジング１前面の表示器５とキーボード６との間には用紙を挿入する手差口７が形成され、ハウジング１内部には、この手差口７からハウジング１上面に形成された排紙口１０に向けて用紙（例えば、単票用紙）を案内する用紙経路８が形成されている。この用紙経路８には、手差口７から用紙経路８に挿入された用紙を搬送する搬送部として対をなす複数組の搬送ローラ９が配列され、搬送ローラ９が回転することで用紙は排紙口１０方向へ案内搬送される。なお、搬送ローラ９は、図示しないモータによって駆動されて回転する。そして、用紙経路８には、この用紙経路８を案内搬送される用紙に印字を行う印字部２が設けられている。印字部２は、用紙経路８を介して対向配置された印字ヘッド３と平型のプラテン４とを有し、印字ヘッド３は、プラテン４の長手方向に沿って配置されたキャリアシャフト（図示せず）に移動可能に支持され、図示しない駆動部により往復駆動される。プラテン４はプラテンローラ等であってもよい。また、印字部２の上部の用紙経路８には、印字済みの用紙を排紙口１０に向けて搬送する搬送部として排紙ローラ１１が配列されている。
【００１４】
そして、ハウジング１内の後方には、トラクタ用紙Ｓを案内搬送して用紙経路８に送り込むトラクタ１５が設けられている。トラクタ１５は、用紙の幅方向に対向する左右一対のベルト支持部１７を有し、ベルト支持部１７の上面側には、トラクタ用紙Ｓを案内するための案内面３０が形成されている。案内面３０は、印字部２よりも上流側で用紙経路８に鈍角をなして連絡している。このとき、案内面３０の上流側がハウジング１後方から上向きに突出しているため、前面側からハウジング１越しでトラクタ用紙Ｓをセット等する場合に作業性が良好となる。また、案内面３０は、連絡部分に向かう途中で連絡部分に向けて湾曲した形状であるため、案内面３０が鈍角をなして用紙経路８に連絡するように構成されている。
【００１５】
図２は、ベルト支持部１７を示す斜視図である。ただし、一対のベルト支持部１７のうち事務機Ｐを後方から見て右側に位置する一方（図１では手前側）のみを示している。
【００１６】
ベルト支持部１７には、先端が細くなるピン２６が外周面に形成されたピンベルト２３がエンドレス回転自在に支持されている。ピンベルト２３は、駆動シャフト２２から回転力を受けることが可能な駆動輪３２にかけられており、図示しない駆動源により回転される駆動シャフト２２と一体に図６中矢印で示す案内搬送方向に回転する。また、このベルト支持部１７の上面には案内面３０が形成されている。案内面３０は、図２に示すように、案内搬送方向の下流部分でピンベルト２３からの高さの距離が案内搬送方向に向かうに従い次第に増加する部分を有する。
【００１７】
また、案内面３０の上面には上流側および下流側に位置してそれぞれ紙押え板２４および紙押え部材２５が、案内面３０との間に隙間を確保して設けられている。紙押え板２４および紙押え部材２５には、ピンベルト２３のピン２６との干渉を避けるための長孔２４ａおよび長孔２５ａがそれぞれ形成されている。紙押え板２４については、ベルト支持部１７の側部に形成されたヒンジ片２７に回動自在に支持されて、ピンベルト２３の外周面を開放できるように構成されている。
【００１８】
図３は、トラクタ１５と用紙経路８との関係を示す側面図である。なお、紙押え板２４および紙押え部材２５は省略して示す。トラクタ１５は、案内面３０が印字部２よりも上流側で用紙経路８に鈍角をなして連絡する位置に配置されている。
【００１９】
紙押え板２４を開き、ピンベルト２３を開放してトラクタ用紙Ｓの両側部に形成されている送り孔Ｈにピンベルト２３のピン２６を嵌め込ませた後、紙押え板２４を閉じてトラクタ用紙Ｓをピンベルト２３上にセットする。この事務機Ｐでは、操作者が表示器５を見ながらキーボード６を操作して各種データ入力等を行う。データ入力が終了して印字の操作がなされると、駆動シャフト２２が駆動してピンベルト２３を回転することによりトラクタ用紙Ｓの案内搬送が開始される。このとき、トラクタ用紙Ｓは、送り孔Ｈにピン２６が嵌め込まれることで動きが規制されて位置ズレ等が防止されている。また、ピン２６には高さがあり、厚みのあるトラクタ用紙Ｓであっても、送り孔Ｈにピン２６が深く嵌め込まれてピンベルト２３から脱落することなく案内搬送される。
【００２０】
そして、トラクタ用紙Ｓはピンベルト２３の回転によって案内面３０上を案内搬送され用紙経路８に送り込まれる。このとき、案内面３０は鈍角をなして用紙経路８に連絡しているため、用紙経路８に送り込まれるに際してのトラクタ用紙Ｓの屈曲量が少なくなり、トラクタ用紙Ｓの印字精度が増す。また、案内面３０は、案内面３０と用紙経路８との連絡部分に近づくに従いピンベルト２３とトラクタ用紙Ｓとの距離を離反させるとともに案内面３０と用紙経路８とのなす角を増大させている。具体的には、案内面３０は用紙経路８に近づいても湾曲が維持されているが、ピンベルト２３は用紙経路８側でほぼ直線となるように形成されている。ここで、仮に、案内面３０が下流側においてもピンベルト２３からの高さが一定に設けられている場合、トラクタ１５を同様の角度で用紙経路８に連絡するように配置すると、点線で示すように、トラクタ１５のベルト支持部１７が用紙経路８を干渉してしまう。つまり、この実施の形態のような案内面３０とすることで、用紙経路８等の各部を干渉することなく、より鈍角をなして用紙経路８に連絡してトラクタ用紙Ｓを送り込むことができる。
【００２１】
また、トラクタ用紙Ｓは、用紙経路８との連絡部分に近づくに従いピンベルト２３から離反するため、送り孔Ｈからピン２６が外れ易い状態になる。これによりトラクタ用紙Ｓが用紙経路８に送り込まれる際にピン２６は送り孔Ｈから容易に外れるので、トラクタ用紙Ｓとピン２６とが引っ掛かってジャムが発生したり、トラクタ用紙Ｓ自身が破れたりしてしまうことが回避される。なお、案内面３０は、図３のＡ点からＢ点の間の下流側で僅かであるが平面であるため、湾曲したトラクタ用紙Ｓ（特に、複数枚からなる伝票等）の表面に発生するシワ等が解消されたり、用紙が罫線等が設けられている複写紙であっても、印字位置のズレが解消されたりする。
【００２２】
本発明の第２の実施の形態を図４ないし図６に基づいて説明する。図１ないし図３において示した部分と同一の機能を奏する部分は同一符号で示し、説明も省略する。
【００２３】
図４は、本発明の第２の実施の形態として事務機Ｐを示す側面図である。なお、ハウジング１の一部を切り欠いて示している。本実施の形態の事務機Ｐが、図１ないし図３に基づいて説明した事務機Ｐと異なる点はトラクタ１５の形態である。トラクタ１５は、直線状のベルト支持部１７を有している。ベルト支持部１７の両側部には、トラクタ用紙Ｓの紙幅方向と平行な支軸１６が側方に延出して取り付けられており、この支軸１６が支持部としてのハウジング１に回動自在に支持されて、トラクタ１５は、案内面３０が印字部２よりも上流側で用紙経路８に鈍角をなして連絡する実線で示す給紙位置と、この給紙位置よりも案内面３０の上流側部分がハウジング１後方から突出するようにして連絡が切り離されるセット位置とに変位自在に設けられている。ここに支持機構が実現されている。トラクタ１５がセット位置に位置付けられた場合、案内面３０の上流側がハウジング１後方に上向きに突出しているため、前面側からハウジング１越しでトラクタ用紙Ｓをセット等する場合に作業性が良好となる。
【００２４】
図５は、ベルト支持部１７を示す斜視図である。本実施の形態のベルト支持部１７においても、案内面３０は、案内搬送方向の下流部分でピンベルト２３からの高さの距離が案内搬送方向に向かうに従い次第に増加する部分を有する。
【００２５】
図６は、トラクタ１５と用紙経路８との関係を示す側面図である。なお、紙押え板２４および紙押え部材２５は省略して示す。このとき、トラクタ１５は給紙位置に位置付けられて、案内面３０が印字部２よりも上流側で用紙経路８に鈍角をなして連絡するように配置されている。
【００２６】
本実施の形態の事務機Ｐは、第１の実施の形態の事務機Ｐと同一の機能を奏する。つまり、案内面３０は鈍角をなして用紙経路８に連絡しているため、用紙経路８に送り込まれるに際してのトラクタ用紙Ｓの屈曲量が少なくなり、トラクタ用紙Ｓの印字精度が増す。また、案内面３０は、案内面３０とトラクタ１５との連絡部分に近づくに従いピンベルト２３とトラクタ用紙Ｓとの距離を離反させるとともに案内面３０と用紙経路８とのなす角を増大させている。ここで、仮に、案内面３０が下流側においてもピンベルト２３からの高さが一定に設けられている場合、トラクタ１５を同様の角度で用紙経路８に連絡するように配置すると、点線で示すように、トラクタ１５のベルト支持部１７が用紙経路８を干渉してしまう。つまり、このような案内面３０とすることで、用紙経路８等の各部を干渉することなく、より鈍角をなして用紙経路８に連絡してトラクタ用紙Ｓを送り込むことができる。
【００２７】
また、トラクタ用紙Ｓは、トラクタ１５と用紙経路８との連絡部分に近づくに従いピンベルト２３から離反するため、送り孔Ｈからピン２６が外れ易い状態になる。これによりトラクタ用紙Ｓが用紙経路８に送り込まれる際にピン２６は送り孔Ｈから容易に外れるので、トラクタ用紙Ｓとピン２６とが引っ掛かってジャムが発生したり、トラクタ用紙Ｓ自身が破れたりしてしまうことが回避される。
【図面の簡単な説明】
【００２８】
【図１】本発明の第１の実施の形態として事務機を示す側面図である。
【図２】ベルト支持部を示す斜視図である。
【図３】トラクタと用紙経路との関係を示す側面図である。
【図４】本発明の第２の実施の形態として事務機を示す側面図である。
【図５】ベルト支持部を示す斜視図である。
【図６】トラクタと用紙経路との関係を示す側面図である。
【図７】トラクタとトラクタ用紙との関係を示す側面図である。
【図８】トラクタと用紙経路との関係を示す模式図である。
【符号の説明】
【００２９】
１…ハウジング，２…印字部，８…用紙経路，９…搬送部（搬送ローラ），１５…トラクタ，２３…ピンベルト，３０…案内面，Ｐ…プリンタ（事務機），Ｓ…トラクタ用紙
【図１】
0004754365.tif 000002
【図２】
0004754365.tif 000003
【図３】
0004754365.tif 000004
【図４】
0004754365.tif 000005
【図５】
0004754365.tif 000006
【図６】
0004754365.tif 000007
【図７】
0004754365.tif 000008
【図８】
0004754365.tif 000009